(57)【要約】【課題】ユーザが自分宛のＵＲＬを取得でき、取得した自分宛のＵＲＬの内容を印刷することを可能にすること。【解決手段】本発明は、サーバ装置１０２が、端末１０１から受信したＵＲＬデータとこのＵＲＬデータの受取人情報である個人ＩＤと複数の個人ＩＤをグループ化したグループＩＤとを対応付けて記憶手段２０７に記憶し、端末１０１から個人ＩＤとともにＵＲＬデータの配信要求を受信したとき記憶手段２０７に記憶した個人ＩＤからグループＩＤを取得しこのグループＩＤに対応するＵＲＬデータを端末１０１に送信するようにすることにより、ユーザがサーバ装置１０２から自分宛のＵＲＬデータを取得できるようにした。【選択図】      図２
2004213149.tif 000002
【特許請求の範囲】
【請求項１】
端末から受信したＵＲＬデータと前記ＵＲＬデータの受取人情報である個人ＩＤと複数の個人ＩＤをグループ化したグループＩＤとを対応付けて記憶する記憶手段と、端末から前記個人ＩＤとともに前記ＵＲＬデータの配信要求を受信したとき前記記憶手段の個人ＩＤからグループＩＤを取得しこのグループＩＤに対応するＵＲＬデータを前記端末に送信する制御手段とを備えたサーバ装置。
【請求項２】
前記グループＩＤにはこのグループに属する複数の個人ＩＤが予め登録されており、前記制御手段は端末から受信した個人ＩＤがグループＩＤに属する個人ＩＤと一致した場合にグループＩＤに対応するＵＲＬデータを前記端末に送信する請求項１記載のサーバ装置。
【請求項３】
ＵＲＬデータとＵＲＬデータの受取人情報である個人ＩＤとの対応あるいはＵＲＬデータとＵＲＬデータの複数の受取人をグループ化したグループＩＤとの対応を記憶する記憶手段と、端末から前記個人ＩＤとともに配信要求を受信したとき前記個人ＩＤに対応するＵＲＬデータ及び前記個人ＩＤが属するグループＩＤに対応するＵＲＬデータを一括して前記端末に送信する制御手段とを備えたサーバ装置。
【請求項４】
端末から受信するＵＲＬデータ及びグループＩＤまたは個人ＩＤは電子メールの受信データから取り出されることを特徴とする請求項１から請求項３のいずれかに記載のサーバ装置。
【請求項５】
前記個人ＩＤは電話番号であることを特徴とする請求項１から請求項４のいずれかに記載のサーバ装置。
【請求項６】
前記電話番号と電子メールアドレスとの対応情報を記憶しておき、電子メールの発信者アドレスから前記対応情報を検索して得た電話番号を前記個人ＩＤとすることを特徴とする請求項５記載のサーバ装置。
【請求項７】
前記個人ＩＤに対応付けられたＵＲＬデータを前記個人ＩＤ宛に送信した後、当該ＵＲＬデータを前記記憶手段から削除する削除手段を備えた請求項３記載のサーバ装置。
【請求項８】
前記グループＩＤに対応付けられたＵＲＬデータを前記グループＩＤに対応したすべての個人ＩＤ宛に送信した後、当該ＵＲＬデータを前記記憶手段から削除する削除手段を備えた請求項１または請求項３のいずれかに記載のサーバ装置。
【請求項９】
前記削除手段は、ＵＲＬデータを送信した後で正常に印刷された旨の情報を受信した場合にＵＲＬデータを前記記憶手段から削除することを特徴とする請求項７または請求項８のいずれかに記載のサーバ装置。
【請求項１０】
前記端末から配信要求とともに受信した個人ＩＤまたはグループＩＤが前記記憶手段にない場合、前記端末にＵＲＬデータがないことを通知することを特徴とする請求項１または請求項３のいずれかに記載のサーバ装置。
【請求項１１】
前記制御手段はパスワードが一致したときにＵＲＬデータを送信することを特徴とする請求項１または請求項３のいずれかに記載のサーバ装置。
【請求項１２】
記録手段を有しない第１の端末装置から送信されたＵＲＬデータを格納する記憶手段と、記録手段を有する第２の端末装置から前記ＵＲＬデータを取得したい旨の要求を受けると前記ＵＲＬデータを送信する制御手段とを備えたサーバ装置。
【請求項１３】
テンキーからの入力を受け付けるキー入力手段と、このキー入力手段により入力された数字列を複写モード時には印刷部数としてその部数分の印刷を行い、一方、ＵＲＬモード時には前記数字列をサーバ装置に送信し前記数字列に対応して記憶されているＵＲＬデータを前記サーバ装置から受信し、続いてウェブサーバに別途アクセスして前記ＵＲＬデータに対応するホームページデータを取得し印刷する制御手段とを備えた印刷装置。
【請求項１４】
前記数字列が個人の携帯電話番号であることを特徴とする請求項１３記載の印刷装置。
【請求項１５】
テンキーからの入力を受け付けるキー入力手段と、このキー入力手段により入力された数字列を複写モード時には印刷部数としてその部数分の印刷を行い、一方、ＵＲＬモード時には前記数字列をサーバ装置に送信し前記数字列に対応して記憶されているＵＲＬデータ並びに前記数字列が属するグループに対応して記憶されているＵＲＬデータを一括して前記サーバ装置から受信し、続いてウェブサーバに別途アクセスして前記ＵＲＬデータに対応のホームページデータを取得し印刷する制御手段とを備えた印刷装置。
【請求項１６】
前記制御手段が受信したＵＲＬデータが複数ある場合はＵＲＬデータの一覧を表示して順次ＵＲＬデータに対応のホームページデータを取得し印刷することを特徴とする請求項１３または請求項１５のいずれかに記載の印刷装置。
【請求項１７】
原稿を読み取る読取手段と、記録紙に印刷を行う印刷手段と、外部のウェブサーバにアクセスしてホームページデータを取得するブラウザ手段と、テンキーからの入力を受け付けるキー入力手段と、このキー入力手段により入力された数字列を複写モード時には印刷部数として前記印刷手段により前記印刷部数分の印刷を行い、一方、ＵＲＬモード時には前記数字列をサーバ装置に送信し前記数字列に対応して記憶されているＵＲＬデータ並びに前記数字列が属するグループに対応して記憶されているＵＲＬデータを一括して前記サーバ装置から受信し、続いてウェブサーバに別途アクセスして前記ＵＲＬデータに対応のホームページデータを前記ブラウザ手段により取得し前記印刷手段により印刷する制御手段とを備えたデジタル複合機。
【請求項１８】
電子メールを送受信可能な携帯端末と、この携帯端末から送信された電子メールを受信するサーバ装置と、このサーバ装置にアクセスする複数の端末装置とからなるシステムにおいて、前記携帯端末がＵＲＬデータを前記サーバ装置に電子メールで送信し、前記サーバ装置は受信したＵＲＬデータと前記携帯端末の個人ＩＤとを対応付けて記憶し、前記端末装置が前記サーバ装置に対し前記携帯端末の個人ＩＤとともにＵＲＬデータの配信を要求すると前記サーバ装置は当該個人ＩＤに対応のＵＲＬデータを前記端末装置に配信することを特徴とするＵＲＬ配信システム。
【請求項１９】
電子メールを送受信可能な携帯端末と、この携帯端末から送信された電子メールを受信するサーバ装置と、このサーバ装置にアクセスする複数の端末装置とからなるシステムにおいて、前記携帯端末がＵＲＬデータとこのＵＲＬデータの受取人の個人ＩＤとを前記サーバ装置に電子メールで送信し、前記サーバ装置は受信したＵＲＬデータと前記受取人の個人ＩＤとを対応付けて記憶し、前記端末装置が前記サーバ装置に対し前記受取人の個人ＩＤとともにＵＲＬデータの配信を要求すると前記サーバ装置は前記受取人の個人ＩＤに対応のＵＲＬデータを前記端末装置に配信することを特徴とするＵＲＬ配信システム。
【請求項２０】
インターネットに接続されたパーソナルコンピュータ並びにサーバ装置と、このサーバ装置にアクセスする複数店舗に設置された端末装置とからなるシステムにおいて、前記パーソナルコンピュータがＵＲＬデータとこのＵＲＬデータの受取人の個人ＩＤとを前記サーバ装置に送信し、前記サーバ装置は受信したＵＲＬデータと前記個人ＩＤとを対応付けて記憶し、前記端末装置が前記サーバ装置に対し前記個人ＩＤとともにＵＲＬデータの配信を要求すると前記サーバ装置は当該個人ＩＤに対応のＵＲＬデータを前記端末装置に配信することを特徴とするＵＲＬ配信システム。
【請求項２１】
サーバ装置と、このサーバ装置とネットワークで接続される携帯端末、パーソナルコンピュータ、記録装置等の複数のクライアント装置とからなるシステムにおいて、前記サーバ装置は前記携帯端末または前記パーソナルコンピュータからＵＲＬデータと個人ＩＤを受信し個人ＩＤ毎にＵＲＬデータをまとめて管理し、前記記録装置または前記パーソナルコンピュータから個人ＩＤとともにＵＲＬデータの配信要求を受信すると当該個人ＩＤに対応のＵＲＬデータを配信要求元の装置に送信することを特徴とするＵＲＬ配信システム。
【請求項２２】
予めグループＩＤとこのグループＩＤに属する個々の個人ＩＤとの対応を記憶しているサーバ装置と、このサーバ装置とネットワークで接続される携帯端末、パーソナルコンピュータ、記録装置等の複数のクライアント装置とからなるシステムにおいて、前記サーバ装置は前記携帯端末または前記パーソナルコンピュータからＵＲＬデータ及び個人ＩＤあるいはグループＩＤを受信し前記個人ＩＤあるいは前記グループＩＤ毎に前記ＵＲＬデータを管理し、前記記録装置または前記パーソナルコンピュータから前記個人ＩＤとともに配信要求を受信したとき前記個人ＩＤに対応するＵＲＬデータ及び前記個人ＩＤが属するグループＩＤに対応するＵＲＬデータを一括して配信要求元の装置に送信することを特徴とするＵＲＬ配信システム。
【発明の詳細な説明】
【０００１】
【発明の属する技術分野】
本発明は、ホームページのアドレスであるＵＲＬを登録、保管し、外部からの要求に応じてＵＲＬを配信するサーバ装置及び印刷装置に関する。
【０００２】
【従来の技術】
従来より、ユーザが、コンビニエンスストアなどの場所に配置された印刷装置を用いて、ホームページデータを印刷するようにしたものが提案されている（例えば特許文献１参照）。
【０００３】
特許文献１の方法は、まず、ユーザが、自分の携帯電話のデータ端子をコンビニエンスストアなどの場所に配置された印刷装置にケーブルで接続する。次に、ユーザが、印刷装置の入力部を操作して印刷を指示する。次に、ユーザが、携帯電話を操作して表示部に印刷したいＵＲＬまたはそのホームページデータ自体を表示した状態で印刷ボタンを押下することにより、携帯電話に表示中のＵＲＬを印刷装置に通知する。そして、印刷装置が、通知されたＵＲＬのコンテンツサーバにアクセスし、印刷対象のホームページを読み出し、読み出したホームページを印刷するというものである。
【０００４】
また、特許文献１には、別の実施の形態も提案されている。これは、まず、ユーザが、携帯電話で印刷装置のＩＰアドレスを入力し、印刷したいホームページのＵＲＬを表示させた状態で印刷ボタンを押下することにより、ＵＲＬをインターネットを介して印刷装置に送信する。そして、印刷装置が、受信したＵＲＬにアクセスし、該当するページを読み込んでＲＡＭに展開し、展開したデータを印刷するというものである。
【０００５】
さらに、特許文献１には、印刷装置の入力部から手入力でＵＲＬを入力しても良い旨が記載されている。
【０００６】
【特許文献１】
特開２００１−２６０４８３号公報（第６頁、第７頁）
【０００７】
【発明が解決しようとする課題】
しかし、上記従来の技術では、以下のように問題が生ずる。
【０００８】
即ち、携帯電話を持っているユーザしか印刷装置でＵＲＬに対応するホームページデータ（内容）を印刷することができない。さらに、ユーザが携帯電話を持っていたとしても、自分の携帯電話のメモリに保持されたＵＲＬ、あるいは自分が熟知していてキー操作により携帯電話に入力できるＵＲＬしか印刷装置に通知して印刷させることができないという問題があった。
【０００９】
また、印刷装置に直接ＵＲＬを入力するとしても、コンビニエンスストアに設置されている印刷装置はキーボードを備えておらず、ＵＲＬを印刷装置に直接入力するのは非常に困難であるという問題があった。
【００１０】
また、営業に出ている複数の者に同じ資料を緊急に配布したいというような場合に、一人一人の携帯電話にＵＲＬを記載したメールを送信しなければならず、非常に非効率であるという問題があった。
【００１１】
そこで、本発明は、以上のような実情に鑑みてなされたものであり、ユーザが自分宛のＵＲＬを取得でき、取得した自分宛のＵＲＬの内容を印刷することを可能にするサーバ装置及び印刷装置を提供することを目的とする。
【００１２】
また、たとえユーザが、携帯電話を持っていなくても、緊急に必要な情報を容易に取得することができるサーバ装置及び印刷装置を提供することを目的とする。
【００１３】
また、ＵＲＬデータを一度の登録で複数の者に配信し、別々の場所にいる複数の者が同じホームページを共用することができるサーバ装置及び印刷装置を提供することを目的とする。
【００１４】
また、個人とグループとで別々に取得のための操作を行う必要がなく一括してＵＲＬデータを取得することのできるサーバ装置及び印刷装置を提供することを目的とする。
【００１５】
【課題を解決するための手段】
本発明は、サーバ装置が、端末から受信したＵＲＬデータとこのＵＲＬデータの受取人情報である個人ＩＤと複数の個人ＩＤをグループ化したグループＩＤとを対応付けて記憶手段に記憶し、端末から前記個人ＩＤとともに前記ＵＲＬデータの配信要求を受信したとき記憶手段に記憶した個人ＩＤからグループＩＤを取得しこのグループＩＤに対応するＵＲＬデータを前記端末に送信するようにした。
【００１６】
これにより、ユーザがＵＲＬを記憶してなくても、サーバ装置から自分宛のＵＲＬを取得でき、取得した自分宛のＵＲＬの内容を印刷することができる。この結果、ユーザは、携帯電話の小さい表示画面では確認困難な情報を確認することができる。
【００１７】
【発明の実施の形態】
本発明の第１の態様にかかるサーバ装置は、端末から受信したＵＲＬデータと前記ＵＲＬデータの受取人情報である個人ＩＤと複数の個人ＩＤをグループ化したグループＩＤとを対応付けて記憶する記憶手段と、端末から前記個人ＩＤとともに前記ＵＲＬデータの配信要求を受信したとき前記記憶手段の個人ＩＤからグループＩＤを取得しこのグループＩＤに対応するＵＲＬデータを前記端末に送信する制御手段とを備えた構成を採る。
【００１８】
このように、複数の人に見てもらいたいＵＲＬをグループＩＤとともにサーバ装置に登録することにより、ＵＲＬを登録した者以外の者も近くのコンビニエンス等に設置の端末でサーバ装置からＵＲＬの内容を入手できる。これにより、別々の場所にいる複数の者が同じホームページを共用することが可能となる。例えば、一人の者がある地域の地図のＵＲＬデータをサーバ装置に登録し、複数の者がＵＲＬデータの内容である地図を印刷し、それぞれ共通の待合場所に向かうということが可能となる。
【００１９】
また、同じ内容のＵＲＬデータを一度の登録で複数の人に配信することができるので、共通のＵＲＬを登録する場合に作業効率が良い。
【００２０】
本発明の第２の態様は、第１の態様にかかるサーバ装置において、前記グループＩＤにはこのグループに属する複数の個人ＩＤが予め登録されており、前記制御手段は端末から受信した個人ＩＤがグループＩＤに属する個人ＩＤと一致した場合にグループＩＤに対応するＵＲＬデータを前記端末に送信する。
【００２１】
このように、グループＩＤとグループのメンバーのＩＤを予め対応付けて登録しておき、端末から受信したＩＤがグループのメンバーのＩＤに一致したときにグループＩＤに対応のＵＲＬを配信することにより、登録されたグループのメンバー以外の者がＵＲＬを取り出すことができなくなる。これにより、部外者からのアクセスを拒否して機密性を保つことができる。
【００２２】
本発明の第３の態様にかかるサーバ装置は、ＵＲＬデータとＵＲＬデータの受取人情報である個人ＩＤとの対応あるいはＵＲＬデータとＵＲＬデータの複数の受取人をグループ化したグループＩＤとの対応を記憶する記憶手段と、端末から前記個人ＩＤとともに配信要求を受信したとき前記個人ＩＤに対応するＵＲＬデータ及び前記個人ＩＤが属するグループＩＤに対応するＵＲＬデータを一括して前記端末に送信する制御手段とを備えた構成を採る。
【００２３】
このように、個人の携帯電話番号などの個人ＩＤとその携帯電話所有者宛のＵＲＬ、グループ番号などのグループＩＤとそのグループ全員宛のＵＲＬ、グループ番号とグループに属する各メンバーの携帯電話番号などの個人ＩＤを互いに関連付けておくことにより、個人ＩＤの入力だけで自分個人宛に登録されたＵＲＬと、自分がメンバーとなっているグループ宛に登録されたＵＲＬの両方を一度の接続でまとめてサーバ装置から取得できる。これにより、個人とグループとで別々に取得のための操作を行う必要がなくユーザの利便性を高めることができる。
【００２４】
本発明の第４の態様は、第１の態様から第３の態様のいずれかにかかるサーバ装置において、端末から受信するＵＲＬデータ及びグループＩＤまたは個人ＩＤは電子メールの受信データから取り出される。
【００２５】
このように、サーバ装置は携帯電話またはＰＣから電子メールを受信しこの中からＵＲＬとグループＩＤまたは個人ＩＤを識別して記憶することにより、サーバ装置宛にＵＲＬ登録用の電子メールを送信するだけでＵＲＬの登録を行える。これにより、ＵＲＬ登録作業を非常に簡単に行うことができる。
【００２６】
本発明の第５の態様は、第１の態様から第４の態様のいずれかにかかるサーバ装置において、前記個人ＩＤは電話番号である。
【００２７】
これにより、携帯電話からサーバ装置にメール送信するときに携帯電話番号を本文中に挿入することにより、これを個人ＩＤとして登録できる。このように、個人ＩＤを管理しやすい数字列とできるので、携帯電話からサーバ装置に簡単にＵＲＬの登録を行うことができる。
【００２８】
また、個人ＩＤを携帯電話番号とすることにより、文字を入力する必要がないので、ＵＲＬの配信を要求する端末としてテンキーしか備えていない装置も利用することができる。
【００２９】
本発明の第６の態様は、第５の態様にかかるサーバ装置において、前記電話番号と電子メールアドレスとの対応情報を記憶しておき、電子メールの発信者アドレスから前記対応情報を検索して得た電話番号を前記個人ＩＤとする。
【００３０】
このように、サーバ装置に電子メールアドレスと携帯電話番号との対応情報を登録しておくことにより、携帯電話からサーバ装置にメール送信するときに発信者情報として自動的に送られる携帯電話の電子メールアドレスから対応の携帯電話番号を個人ＩＤとすることができる。これにより、携帯電話からサーバ装置に簡単に自分宛のＵＲＬの登録を行うことができる。
【００３１】
本発明の第７の態様は、第３の態様にかかるサーバ装置において、前記個人ＩＤに対応付けられたＵＲＬデータを前記個人ＩＤ宛に送信した後、当該ＵＲＬデータを前記記憶手段から削除する削除手段を備えた構成を採る。
【００３２】
このように、一度配信したＵＲＬはサーバ装置の記憶手段から削除することにより、不要なＵＲＬを保持しないようにできる。これにより、サーバ装置のメモリを有効利用することができる。
【００３３】
本発明の第８の態様は、第１の態様または第３の態様にかかるサーバ装置において、前記グループＩＤに対応付けられたＵＲＬデータを前記グループＩＤに対応したすべての個人ＩＤ宛に送信した後、当該ＵＲＬデータを前記記憶手段から削除する削除手段を備えた構成を採る。
【００３４】
このように、グループ全員に配信済みのＵＲＬはサーバ装置の記憶手段から削除することにより、不要なＵＲＬを保持しないようにできる。これにより、サーバ装置のメモリを有効利用することができる。
【００３５】
本発明の第９の態様は、第７の態様または第８の態様にかかるサーバ装置において、前記削除手段は、ＵＲＬデータを送信した後で正常に印刷された旨の情報を受信した場合にＵＲＬデータを前記記憶手段から削除する。
【００３６】
このように、印刷が完了したことを確認してからＵＲＬデータを削除することにより、リカバリ対応できる。これにより、正常に印刷ができなかった場合にＵＲＬデータを再取得することができる。
【００３７】
本発明の第１０の態様は、第１の態様または第３の態様にかかるサーバ装置において、前記端末から配信要求とともに受信した個人ＩＤまたはグループＩＤが前記記憶手段にない場合、前記端末にＵＲＬデータがないことを通知する。
【００３８】
このように、配信要求された個人ＩＤ、グループＩＤに対応のＵＲＬが登録されていない場合はその旨を知らせることにより、ユーザは、登録されたＵＲＬがなかったことがわかる。これにより、ユーザは、ＵＲＬの取得に失敗したのかＵＲＬが登録されていないのかを明確に判別することができる。
【００３９】
本発明の第１１の態様は、第１の態様または第３の態様にかかるサーバ装置において、前記制御手段はパスワードが一致したときにＵＲＬデータを送信する。
【００４０】
このように、ＵＲＬの取得にパスワードを設定することにより、パスワードを知る者しかＵＲＬを取得できなくなる。これにより、部外者からのアクセスを拒否することができる。
【００４１】
本発明の第１２の態様にかかるサーバ装置は、記録手段を有しない第１の端末装置から送信されたＵＲＬデータを格納する記憶手段と、記録手段を有する第２の端末装置から前記ＵＲＬデータを取得したい旨の要求を受けると前記ＵＲＬデータを送信する制御手段とを備えた構成を採る。
【００４２】
このように、記録手段を有しない端末装置の利用者もＵＲＬをいったんサーバ装置に送信することにより、後で記録手段を有する端末装置から改めてＵＲＬを取り出してその内容を印刷することができる。これにより、例えば、携帯電話で受信したＵＲＬの内容をコンビニエンス等に設置してある記録装置から取り出すことができ、携帯電話の小さい表示画面では確認困難な情報も容易に確認できる。
【００４３】
また、ＵＲＬデータを格納した第１の端末装置の利用者以外の者も、第２の端末装置からサーバ装置にアクセスしてＵＲＬデータを取得してホームページを印刷できる。これにより、別々の場所にいる複数の者が同じホームページを共用することが可能となる。
【００４４】
本発明の第１３の態様にかかる印刷装置は、テンキーからの入力を受け付けるキー入力手段と、このキー入力手段により入力された数字列を複写モード時には印刷部数としてその部数分の印刷を行い、一方、ＵＲＬモード時には前記数字列をサーバ装置に送信し前記数字列に対応して記憶されているＵＲＬデータを前記サーバ装置から受信し、続いてウェブサーバに別途アクセスして前記ＵＲＬデータに対応するホームページデータを取得し印刷する制御手段とを備えた構成を採る。
【００４５】
このように、複写機能を有するコンビニエンス等に設置の端末からユーザが自分の携帯電話番号などの数字列を入力してサーバ装置に送信することにより、コンビニエンス等に設置の端末はサーバ装置から携帯電話番号に対応して保存されているＵＲＬを取得してこの内容を印刷できる。これにより、携帯電話の小さい表示画面では確認困難な情報も容易に確認できる。
【００４６】
本発明の第１４の態様は、第１３の態様にかかる印刷装置において、前記数字列が個人の携帯電話番号である。
【００４７】
このように、前記数字列を個人の携帯電話番号とすることにより、取得のための入力情報を忘れることなく外出先でも容易に入力することができる。
【００４８】
本発明の第１５の態様にかかる印刷装置は、テンキーからの入力を受け付けるキー入力手段と、このキー入力手段により入力された数字列を複写モード時には印刷部数としてその部数分の印刷を行い、一方、ＵＲＬモード時には前記数字列をサーバ装置に送信し前記数字列に対応して記憶されているＵＲＬデータ並びに前記数字列が属するグループに対応して記憶されているＵＲＬデータを一括して前記サーバ装置から受信し、続いてウェブサーバに別途アクセスして前記ＵＲＬデータに対応のホームページデータを取得し印刷する制御手段とを備えた構成を採る。
【００４９】
このように、複写機能を有するコンビニエンス等に設置の端末からユーザが自分の携帯電話番号を入力してサーバ装置に送信することにより、コンビニエンス等に設置の端末はサーバ装置からその携帯電話番号に対応して保存されているＵＲＬとその携帯電話番号がメンバーとなっているグループに対応して保存されているＵＲＬとを一度の受信でまとめて取得してこの内容を順次印刷できる。これにより、個人とグループとで別々に取得のための操作を行う必要がなくユーザの利便性を高めることができる。
【００５０】
本発明の第１６の態様は、第１３の態様または第１５の態様にかかる印刷装置において、前記制御手段が受信したＵＲＬデータが複数ある場合はＵＲＬデータの一覧を表示して順次ＵＲＬデータに対応のホームページデータを取得し印刷する。
【００５１】
このように、ＵＲＬが複数ある場合は一覧を表示してから順番に印刷することにより、ユーザはいくつのＵＲＬがあるかを予めわかるので、印刷時間を予測することができる。
【００５２】
本発明の第１７の態様にかかるデジタル複合機は、原稿を読み取る読取手段と、記録紙に印刷を行う印刷手段と、外部のウェブサーバにアクセスしてホームページデータを取得するブラウザ手段と、テンキーからの入力を受け付けるキー入力手段と、このキー入力手段により入力された数字列を複写モード時には印刷部数として前記印刷手段により前記印刷部数分の印刷を行い、一方、ＵＲＬモード時には前記数字列をサーバ装置に送信し前記数字列に対応して記憶されているＵＲＬデータ並びに前記数字列が属するグループに対応して記憶されているＵＲＬデータを一括して前記サーバ装置から受信し、続いてウェブサーバに別途アクセスして前記ＵＲＬデータに対応のホームページデータを前記ブラウザ手段により取得し前記印刷手段により印刷する制御手段とを備えた構成を採る。
【００５３】
このように、コンビニエンス等で現在サービスされている複写機能を合わせ持つことにより、コピー機と置き換えて設置できる。これにより、店舗内で置き場所に困ることなく１台の装置で高機能を実現することができる。
【００５４】
本発明の第１８の態様にかかるＵＲＬ配信システムは、電子メールを送受信可能な携帯端末と、この携帯端末から送信された電子メールを受信するサーバ装置と、このサーバ装置にアクセスする複数の端末装置とからなるシステムにおいて、前記携帯端末がＵＲＬデータを前記サーバ装置に電子メールで送信し、前記サーバ装置は受信したＵＲＬデータと前記携帯端末の個人ＩＤとを対応付けて記憶し、前記端末装置が前記サーバ装置に対し前記携帯端末の個人ＩＤとともにＵＲＬデータの配信を要求すると前記サーバ装置は当該個人ＩＤに対応のＵＲＬデータを前記端末装置に配信する。
【００５５】
このように、サーバ装置にＵＲＬを登録し端末から取り出せるようにしたことにより、携帯端末宛に送られてきたＵＲＬをサーバ装置に転送し近くのコンビニエンス等に設置の端末でＩＤを入力するだけでサーバ装置からＵＲＬの内容を入手できるようになる。これにより、携帯端末の小さい表示画面では確認困難な情報も容易に確認できる。
【００５６】
本発明の第１９の態様にかかるＵＲＬ配信システムは、電子メールを送受信可能な携帯端末と、この携帯端末から送信された電子メールを受信するサーバ装置と、このサーバ装置にアクセスする複数の端末装置とからなるシステムにおいて、前記携帯端末がＵＲＬデータとこのＵＲＬデータの受取人の個人ＩＤとを前記サーバ装置に電子メールで送信し、前記サーバ装置は受信したＵＲＬデータと前記受取人の個人ＩＤとを対応付けて記憶し、前記端末装置が前記サーバ装置に対し前記受取人の個人ＩＤとともにＵＲＬデータの配信を要求すると前記サーバ装置は前記受取人の個人ＩＤに対応のＵＲＬデータを前記端末装置に配信する。
【００５７】
このように、携帯端末からサーバ装置に受取人を指定した電子メールを送信することにより、特定の人に所定のＵＲＬデータを簡単に配信することができる。
【００５８】
本発明の第２０の態様にかかるＵＲＬ配信システムは、インターネットに接続されたパーソナルコンピュータ並びにサーバ装置と、このサーバ装置にアクセスする複数店舗に設置された端末装置とからなるシステムにおいて、前記パーソナルコンピュータがＵＲＬデータとこのＵＲＬデータの受取人の個人ＩＤとを前記サーバ装置に送信し、前記サーバ装置は受信したＵＲＬデータと前記個人ＩＤとを対応付けて記憶し、前記端末装置が前記サーバ装置に対し前記個人ＩＤとともにＵＲＬデータの配信を要求すると前記サーバ装置は当該個人ＩＤに対応のＵＲＬデータを前記端末装置に配信する。
【００５９】
このように、パソコンからサーバ装置にＵＲＬを登録し端末から取り出せるようにしたことにより、社内にいる者がサーバ装置にＵＲＬを登録しておき、外出中の者が近くのコンビニエンス等に設置の端末でＩＤを入力するだけでサーバ装置からＵＲＬの内容を入手できるようになる。これにより、携帯電話を持っていなくてもＵＲＬを知らなくても、緊急に必要な情報を容易に取得することができる。
【００６０】
本発明の第２１の態様にかかるＵＲＬ配信システムは、サーバ装置と、このサーバ装置とネットワークで接続される携帯端末、パーソナルコンピュータ、記録装置等の複数のクライアント装置とからなるシステムにおいて、前記サーバ装置は前記携帯端末または前記パーソナルコンピュータからＵＲＬデータと個人ＩＤを受信し個人ＩＤ毎にＵＲＬデータをまとめて管理し、前記記録装置または前記パーソナルコンピュータから個人ＩＤとともにＵＲＬデータの配信要求を受信すると当該個人ＩＤに対応のＵＲＬデータを配信要求元の装置に送信する。
【００６１】
このように、携帯端末から、あるいは、パソコンから所定のＵＲＬをサーバ装置に登録することにより、受取人は近くのコンビニエンス等に設置の端末または任意のパソコンにおいてＩＤを入力するだけでサーバ装置からＵＲＬの内容を入手できるようになる。これにより、緊急に必要な情報を容易に取得することができる。
【００６２】
本発明の第２２の態様にかかるＵＲＬ配信システムは、予めグループＩＤとこのグループＩＤに属する個々の個人ＩＤとの対応を記憶しているサーバ装置と、このサーバ装置とネットワークで接続される携帯端末、パーソナルコンピュータ、記録装置等の複数のクライアント装置とからなるシステムにおいて、前記サーバ装置は前記携帯端末または前記パーソナルコンピュータからＵＲＬデータ及び個人ＩＤあるいはグループＩＤを受信し前記個人ＩＤあるいは前記グループＩＤ毎に前記ＵＲＬデータを管理し、前記記録装置または前記パーソナルコンピュータから前記個人ＩＤとともに配信要求を受信したとき前記個人ＩＤに対応するＵＲＬデータ及び前記個人ＩＤが属するグループＩＤに対応するＵＲＬデータを一括して配信要求元の装置に送信する。
【００６３】
このように、個人の携帯電話番号などの個人ＩＤとその携帯電話所有者宛のＵＲＬ、グループ番号などのグループＩＤとそのグループ全員宛のＵＲＬ、グループ番号に該当する各メンバーの携帯電話番号などの個人ＩＤを互いに関連付けておくことにより、個人ＩＤの入力だけで自分個人宛に登録されたＵＲＬと、自分がメンバーとなっているグループ宛に登録されたＵＲＬの両方を一度の接続でまとめてサーバ装置から取得できる。これにより、個人とグループとで別々に取得のための操作を行う必要がなくユーザの利便性を高めることができる。
【００６４】
以下、本発明の一実施の形態にかかるＵＲＬ配信システムについて、添付図面を用いて説明する。まず、上記実施の形態にかかるＵＲＬ配信システムの構成について図１を用いて説明する。図１は、上記実施の形態にかかるＵＲＬ配信システムのブロック図である。
【００６５】
上記実施の形態にかかるＵＲＬ配信システム１００は、クライアントである携帯電話１０１ａ、ＰＤＡ１０１ｂ、ＰＣ１０１ｃと、サーバ装置１０２と、印刷装置１０３ａ、１０３ｂと、Ｗｅｂサーバ１０４とがネットワーク１０５を介してして接続された構成を採る。
【００６６】
クライアントである携帯電話１０１ａ、ＰＤＡ１０１ｂ、ＰＣ１０１ｃは、メール機能を持ち、メール機能を用いて、サーバ装置１０２に対して、Ｗｅｂサーバ１０４のＵＲＬ、個人ＩＤ、グループＩＤなどの情報を送信する。また、携帯電話１０１ａ、ＰＤＡ１０１ｂ、ＰＣ１０１ｃには、印刷機能は備えられていない。
【００６７】
サーバ装置１０２は、携帯電話１０１ａ、ＰＤＡ１０１ｂ、ＰＣ１０１ｃから送られてきた、個人ＩＤ、グループＩＤ、ＵＲＬなどの情報を登録する。また、サーバ装置１０２は、登録しているＵＲＬなどの情報を印刷装置１０３ａ、１０３ｂに送信する。
【００６８】
印刷装置１０３ａ、１０３ｂは、サーバ装置１０２と通信を行い、サーバ装置１０２に登録されているＵＲＬなどの情報を取得する。また、印刷装置１０３ａ、１０３ｂは、サーバ装置１０２から取得したＵＲＬを用いてＷｅｂサーバ１０４と通信を行い、ＵＲＬに対応するホームページデータ（内容）を取得し、印刷する。また、印刷装置１０３ａ、１０３ｂは、コンビニエンスストアなどに設置され、誰でも利用できるようになっていることを想定している。
【００６９】
また、Ｗｅｂサーバ１０４は、所定のＵＲＬに対するホームページを保持するサーバである。図１では、説明の便宜上Ｗｅｂサーバ１０４は、ひとつになっているが、実際には、複数のＷｅｂサーバ１０４がネットワーク１０５に接続されている。なお、ひとつのＷｅｂサーバ１０４が複数のＵＲＬに関する内容を保持する形態であっても良い。
【００７０】
このような構成により、ユーザは、予めＵＲＬをサーバ装置１０２に登録しておくことで、後で印刷装置１０３ａ、１０３ｂを用いてこの登録したＵＲＬを取得し、このＵＲＬに対応するホームページデータを印刷できる。
【００７１】
次に、サーバ装置１０２の構成について、図２を用いて詳細に説明する。図２は、上記実施の形態にかかるサーバ装置のブロック図である。
【００７２】
サーバ装置１０２には、ネットワーク１０５を介して、携帯電話１０１ａ、ＰＤＡ１０１ｂ、ＰＣ１０１ｃや、印刷装置１０３ａ、１０３ｂなどと各種情報の送受信を行うデータ送受信部２０１が設けられている。
【００７３】
また、サーバ装置１０２には、ユーザが携帯電話１０１ａ、ＰＤＡ１０１ｂ、ＰＣ１０１ｃや、印刷装置１０３ａ、１０３ｂからユーザのログインを管理するログイン手段として、ログインサーバ２０２が設けられている。
【００７４】
ログインサーバ２０２には、ユーザデータベース２０３と、ログイン管理部２０４が設けられている。
【００７５】
ユーザデータベース２０３は、ユーザが、携帯電話１０１ａ、ＰＤＡ１０１ｂ、ＰＣ１０１ｃや、印刷装置１０３ａ、１０３ｂ等から予め登録したユーザ情報を管理するデータベースである。
【００７６】
ここで、ユーザデータベース２０３の構成について、図３を用いて詳細に説明する。図３は、上記実施の形態にかかるユーザデータベースを説明するための図である。
【００７７】
ユーザデータベース２０３には、ユーザのログインＩＤ３０４と、パスワード３０５との組を複数格納したパスワード管理テーブル３０１が格納されている。この例では、ログインＩＤ３０４には、携帯電話の番号が採用されている。なお、ログインＩＤ３０４は、携帯電話の番号以外であっても、個人が識別できる情報であればいかなる形式であっても良い。
【００７８】
また、ユーザデータベース２０３には、ユーザのログインＩＤ３０４と、メールアドレス３０６の組を複数格納したメールアドレス管理テーブル３０２が格納されている。メールアドレス管理テーブル３０２のメールアドレス３０６には、携帯電話のメールアドレスも登録可能である。
【００７９】
また、ユーザデータベース２０３には、ユーザのログインＩＤ３０４と、グループＩＤ３０７との複数格納したグループ登録管理テーブル３０３が格納されている。グループ登録管理テーブル３０３のグループＩＤ３０７には、図中３０８に示すようにグループを示すシリアル番号を登録しても良い。また、このように、ユーザデータベース２０３には、ユーザがログインする際に参照する情報が格納されている。
【００８０】
なお、ユーザは、ログインＩＤ３０４，パスワード３０５，メールアドレス３０６，グループＩＤ３０７及びグループに属する個人ＩＤ（内容はログインＩＤと同じ）等の登録を、携帯電話１０１ａ、ＰＤＡ１０１ｂ、ＰＣ１０１ｃや、印刷装置１０３ａ、１０３ｂ等から行っても良いし、オフラインで行っても良い。
【００８１】
３０４に示すＩＤは、サーバにログインする時のログインＩＤとして使用される場合もあれば、ＵＲＬの受信者である個人ＩＤとして使用される場合もあるため、以下、使用目的に添って「ログインＩＤ」、「個人ＩＤ」と称する。
【００８２】
また、ログインＩＤ（個人ＩＤ）３０４は携帯電話番号となっているので、携帯電話１０１ａからサーバ装置１０２に送るメールに携帯電話番号を本文中に挿入することにより、これを個人ＩＤ３０４として登録できるようになっている。
【００８３】
次に、ログイン管理部２０４の説明をする。ログイン管理部２０４は、データ送受信部２０１を介して、携帯電話１０１ａ、ＰＤＡ１０１ｂ、ＰＣ１０１ｃもしくは、印刷装置１０３ａ、１０３ｂから送られてきた、ユーザの個人ＩＤ、パスワード、メールアドレスと、ユーザデータベース２０３との情報が一致する場合にはユーザのログインを許可する。そして、ログイン管理部２０４は、ユーザのログインを認めるか否かの情報を、データ送受信部２０１を介してユーザに送る。
【００８４】
また、サーバ装置１０２には、クライアント１０１ａ〜１０１ｃから送られてきたＵＲＬの登録を行うＵＲＬ登録手段として、メールデータ変換部２０５と、ＵＲＬ登録メソッド２０６が設けられている。
【００８５】
メールデータ変換部２０５は、データ送受信部２０１を介して、クライアント１０１ａ〜１０１ｃから送られてきた電子メールに記載されているログインＩＤ、パスワード及びＵＲＬ受信者（個人またはグループ）を抽出する。また、メールデータ変換部２０５は、受信した電子メールに記載されているＵＲＬも抽出する。そして、メールデータ変換部２０５は、抽出したログインＩＤ、パスワード、ＵＲＬ受信者（個人またはグループ）、及びＵＲＬを出力する。
【００８６】
また、ＵＲＬ登録メソッド２０６は、メールデータ変換部２０５が出力したログインＩＤ、パスワード、ＵＲＬ受信者（個人またはグループ）、及びＵＲＬを受信し、ＵＲＬ登録データベース２０７に関連付けて登録する。
【００８７】
ＵＲＬ登録データベース２０７は、送信されてきたログインＩＤ、パスワード、ＵＲＬ受信者（個人またはグループ）、及びＵＲＬを関連つけて格納するデータベースである。
【００８８】
ＵＲＬ登録データベース２０７の構成について、図４及び図５を用いて詳細に説明する。図４及び図５は、上記実施の形態にかかるＵＲＬ登録データベースを説明するための図である。
【００８９】
ＵＲＬ登録データベース２０７には、図４に示すユーザの個人テーブル４００ａ、４００ｂが格納されている。個人テーブル４００ａ、４００ｂには、それぞれ個人ＩＤ３０４ａとＵＲＬ４０１ａの組、個人ＩＤ３０４ｂとＵＲＬ４０１ｂの組が格納されている。
【００９０】
個人テーブル４００ａは、「０９０１１１１２２２２」という個人ＩＤ３０４ａを持つユーザの個人テーブルであり、個人テーブル４００ｂは、「０９０３３３３４４４４」という個人ＩＤ３０４ｂを持つユーザの個人テーブルである。また、個人テーブル４００ａ、４００ｂには、複数のＵＲＬが格納することが可能になっている。つまり、ひとりのユーザが複数のＵＲＬを登録することが可能となっている。
【００９１】
また、ＵＲＬ登録データベース２０７には、図５に示すグループテーブル５００ａ、５００ｂが格納されている。グループテーブル５００ａは、「００１」というグループＩＤ３０７ａを持つグループのテーブルであり、グループテーブル５００ｂは、「００２」というグループＩＤ３０７ｂを持つグループのテーブルである。
【００９２】
グループテーブル５００ａ、５００ｂには、グループとして登録した複数のＵＲＬ４０１ｃ、４０１ｄと、グループを形成するユーザの個人ＩＤ３０４ａ、３０４ｃ、３０４ｄが格納されている。
【００９３】
また、グループテーブル５００ａ、５００ｂの個人ＩＤ３０４ａ、３０４ｃ、３０４ｄとＵＲＬ４０１ｃ、４０１ｄが交差する部分には、グループのメンバーがＵＲＬ４０１ｃ、４０１ｄの配信を受けたか否かを示す配信マーク５０１ａ、５０１ｂが記されている。初期段階では、配信マーク５０１ａ、５０１ｂは、まだ配信されていないことを示す「未」が記されている。
【００９４】
このように、ＵＲＬ登録データベース２０７には、ユーザ単位、またはグループ単位でＵＲＬを登録することが可能になっている。
【００９５】
また、複数の人に見てもらいたいＵＲＬをグループＩＤ３０７とともにサーバ装置１０２のグループテーブル５００に登録してあるので、同じＵＲＬを一度の登録処理で複数のユーザに登録できるので、共通のＵＲＬを登録する場合に作業効率が良い。
【００９６】
また、サーバ装置１０２には、印刷装置１０３ａ、１０３ｂに対してＵＲＬの閲覧を行うＵＲＬ閲覧手段として、ＵＲＬ閲覧メソッド２０８が設けられている。
【００９７】
ＵＲＬ閲覧メソッド２０８は、印刷装置１０３ａ、１０３ｂからユーザがログインした場合に、ＵＲＬ登録データベース２０７を参照し、ログインしたユーザの個人テーブル４００に登録されているＵＲＬ４０１ａ、４０１ｂ、もしくはログインしたユーザの属するグループのグループテーブル５００に格納されているＵＲＬ４０１ｃ、４０１ｄを抽出する。そして、ＵＲＬ閲覧メソッド２０８は、抽出したＵＲＬ４０１ａ〜４０１ｄをデータ送受信部２０１を介して印刷装置１０３ａ、１０３ｂに送信する。
【００９８】
このように、サーバ装置１０２は、クライアント１０１ａ〜１０１ｃを介してユーザからＵＲＬの登録を受け、印刷装置１０３ａ、１０３ｂにユーザが登録したＵＲＬを送信する。
【００９９】
次に、印刷装置１０３の構成について、図６を用いて詳細に説明する。図６は、上記実施の形態にかかる印刷装置の構成図である。
【０１００】
印刷装置１０３は、印刷機能に加え、複写機能を持つ。
【０１０１】
印刷装置１０３には、ユーザからの情報の入力を受けるキー入力部６０１が設けられている。キー入力部６０１には、テンキーが設けられている。
【０１０２】
ユーザは、キー入力部６０１を操作することにより、印刷装置１０３の動作モードである、複写機として動作する複写機モードと、サーバ装置１０２からＵＲＬを取得するＵＲＬモードとを切り替えることができる。印刷装置１０３は、複写モード時に、ユーザが、テンキーを操作し数字を入力すると、この数字の部数分の印刷を行う。
【０１０３】
また、ＵＲＬモード時には、ユーザは、テンキーを操作することにより、印刷装置１０３からサーバ装置１０２に送信するパスワードや個人ＩＤなどの情報を入力できる。
【０１０４】
このように、印刷装置１０３が、コンビニエンスストア等で現在サービスされている複写機能を合わせ持っているので、コンビニエンスストア等のコピー機と置き換えて設置できる。これにより、店舗内で置き場所に困ることなく１台の装置で高機能を実現することができる。
【０１０５】
また、印刷装置１０３には、各種情報を表示するパネル表示部６０２が設けられている。パネル表示部６０２は、タッチパネルとしての機能も持つ。
【０１０６】
また、印刷装置１０３には、通信手段として、ネットワーク１０５を介して情報を送信する送信制御部６０３と、ネットワーク１０５を介して情報を受信する受信制御部６０４が設けられている。
【０１０７】
また、印刷装置１０３には、通信制御部６０５が設けられている。通信制御部６０５は、キー入力部６０１から入力された情報を送信制御部６０３を介して他の端末に送信する。また、通信制御部６０５は、受信制御部６０４が受信した情報をパネル表示部６０２やＵＲＬ画面読取変換部６０６に出力する。
【０１０８】
ＵＲＬ画面読取変換部６０６は、通信制御部６０５から出力されたＵＲＬを受信し、このＵＲＬに対応するホームページデータをＷｅｂサーバ１０４にアクセスして取得するブラウザとしての機能を持つ。また、ＵＲＬ画面読取変換部６０６は、取得したＵＲＬに対応するホームページデータを印刷用の画情報に変換し、印刷制御部６０７に出力する。
【０１０９】
印刷制御部６０７は、キー入力部６０１から印刷指示を受けると、印刷用の画情報に変換されたＵＲＬに対応するホームページデータを印刷部６０８に出力する。
【０１１０】
印刷部６０８は、一般的なプリンタであり、受信した印刷用の画情報を印刷する。
【０１１１】
次に、サーバ装置１０２のＵＲＬ登録処理について図７から図９を用いて説明する。図７から図９は、上記実施の形態にかかるサーバ装置１０２のＵＲＬ登録処理のフローチャートである。
【０１１２】
サーバ装置１０２は、クライアント１０１ａ〜１０１ｃからＵＲＬを登録するためのメールをデータ送受信部２０１で受信すると（ＳＴ７０１）、受信したメールをログイン管理部２０４に送る。
【０１１３】
次に、ログイン管理部２０４は、受信したメールにグループＩＤの記載があるか判断する（ＳＴ７０２）。これは、図１０（ａ）に示すメール１０００の本文中のＵＲＬ受信者を示す１００１の「recid」が「００１」とグループＩＤの桁数（ここでは３桁）であることからグループＩＤであると判断できる。ＵＲＬ受信者が個人であれば「recid」は１１桁となる。
【０１１４】
次に、受信したメールにグループＩＤの記載があると判断すると、ログイン管理部２０４は、受信したメールにログインＩＤ、つまりＵＲＬの登録を行う個人ＩＤの記載があるか判断する（ＳＴ７０３）。これは、図１０（ａ）に示すメール１０００の本文中の１００２の「id」に記載があるかどうかで判断できる。
【０１１５】
次に、受信したメールに個人ＩＤの記載があると判断すると、ログイン管理部２０４は、受信したメールにパスワードの記載があるか判断する（ＳＴ７０４）。これは、図１０（ａ）に示すメール１０００の本文中の１００３の「pw」に記載があるかどうかで判断できる。
【０１１６】
ＳＴ７０４において、メールにパスワードの記載がされていないと判断された場合には、メールを送信したユーザにログインが失敗した旨を通知するログインエラーメールを送信する（ＳＴ７０６）。
【０１１７】
ここで注目すべき点は、図１０（ａ）のメール１０００の、ログインＩＤ１００２が携帯電話番号となっている点である。このため、ユーザは、携帯電話１０１ａからサーバ装置１０２にメール送信するときに携帯電話番号を本文中に挿入することにより、これをログインＩＤ３０４とできる。このように、ログインＩＤ３０４を管理しやすい数字列とすることにより、携帯電話１０１ａからサーバ装置１０２に簡単にログインでき、ＵＲＬの登録作業を簡単に行えるようにしている。
【０１１８】
以下、サーバ装置１０２が、メール１０００を受信したとして説明をする。
【０１１９】
メール１０００にパスワード１００３の記載があるので、次に、ログイン管理部２０４は、メール１０００に記載されているログインＩＤ１００２及びパスワード１００３と、ユーザデータベース２０３のパスワード管理テーブル３０１のログインＩＤ３０４及びパスワード３０５が一致するか判断する（ＳＴ７０５）。
【０１２０】
ＳＴ７０５において、メール１０００に記載されているログインＩＤ１００２及びパスワード１００３と、ユーザデータベース２０３のパスワード管理テーブル３０１のログインＩＤ３０４及びパスワード３０５が一致しないと判断すると、ログイン管理部２０４はこのメール１０００は登録されていないユーザからのメールと判断する。そして、ログイン管理部２０４は、メール１０００を送信したユーザにログインエラーメールを、データ送受信部２０１を介して、ユーザに送信する（ＳＴ７０６）。
【０１２１】
一方、ＳＴ７０５において、メール１０００に記載されているログインＩＤ１００２及びパスワード１００３と、ユーザデータベース２０３のパスワード管理テーブル３０１のログインＩＤ３０４及びパスワード３０５が一致すると判断した場合には、ログイン管理部２０４は、ユーザのログインを認める。
【０１２２】
そして、次に、サーバ装置１０２は、ＵＲＬの登録処理に移行する。
【０１２３】
まず、メールデータ変換部２０５が、メール１０００の本文中にＵＲＬの記載があるか判断する（ＳＴ７０７）。
【０１２４】
メール１０００には、１００４に記すようにＵＲＬの記載があり、また、メール１０００にはＵＲＬ受信者１００１およびログインＩＤ１００２の記載もある。よって、次に、メールデータ変換部２０５は、このＵＲＬ１００４、ＵＲＬ受信者であるグループＩＤをメール１０００から切り出し、ＵＲＬ登録メソッド２０６に送信する。
【０１２５】
これを受けて、ＵＲＬ登録メソッド２０６は、受信したＵＲＬ１００４をグループＩＤ「００１」のグループテーブル５００に登録する（ＳＴ７０８）。
【０１２６】
また、ＵＲＬ登録メソッド２０６は、グループテーブル５００の配信マーク５０１を初期状態である「未」にしておく。また、ＵＲＬ登録メソッド２０６は、グループテーブル５００に登録されているＵＲＬ４０１ｃ、４０１ｄを送信した場合には、送信したＵＲＬ４０１ｃ、４０１ｄと送信先のユーザの個人ＩＤ３０４が交差する位置の配信マーク５０１を配信が終了したことを示す「済」にする。
【０１２７】
次に、ＵＲＬ登録メソッド２０６は、送られてきたメール１０００のＵＲＬ１００４をグループテーブル５００に登録したことを示す登録完了メールを、データ送受信部２０１を介して、メール１０００の送信元に送信し（ＳＴ７０９）、処理を終了する。
【０１２８】
また、ＳＴ７０７において、メール１０００にＵＲＬの記載がないとすると、ＵＲＬ登録メソッド２０６は、メール１０００を送信したユーザに対して登録ができなかった旨を示す登録エラーメールを、データ送受信部２０１を介して送信し（ＳＴ７１０）、処理を終了する。
【０１２９】
次に、ＳＴ７０２において、メールにグループＩＤの記載がなかった場合の処理について図８に従って説明する。
【０１３０】
次に、ログイン管理部２０４は、メールにログインＩＤの記載があるか判断する（ＳＴ７１１）。
【０１３１】
ＳＴ７１１において、ＵＲＬ受信者の記載がなく、ログインＩＤの記載があると判断されるメールを図１０（ｂ）に示す。図１０（ｂ）に示すメール１０１０には、ＵＲＬ受信者を示す「recid」の記載はない。このような場合は、ログインしたユーザが自らＵＲＬの受信者であることを示す。つまり、自分で自分宛のＵＲＬを登録する場合であり、ログインＩＤがそのままＵＲＬ受信者の個人ＩＤとして扱われる。
【０１３２】
以下、サーバ装置１０２が、メール１０１０を受信したとして説明をする。
【０１３３】
次に、ログイン管理部２０４は、受信したメール１０１０にパスワードの記載があるか判断する（ＳＴ７１２）。
【０１３４】
ＳＴ７１２において、メール１０１０にパスワードの記載がされていないと判断された場合には、ログイン管理部２０４は、データ送受信部２０１を介して、メールを送信したユーザにログインが失敗した旨を通知するログインエラーメールを送信する（ＳＴ７１３）。
【０１３５】
しかし、メール１０１０にはパスワード１００３の記載があるので、次に、ログイン管理部２０４は、メール１０１０に記載されているログインＩＤ１００２及びパスワード１００３と、ユーザデータベース２０３のパスワード管理テーブル３０１のログインＩＤ３０４及びパスワード３０５が一致するか判断する（ＳＴ７１４）。
【０１３６】
ＳＴ７１４において、メール１０１０に記載されているログインＩＤ１００２及びパスワード１００３と、ユーザデータベース２０３のパスワード管理テーブル３０１のログインＩＤ３０４及びパスワード３０５が一致しないと判断すると、ログイン管理部２０４はこのメール１０００は登録されていないユーザからのメールと判断する。そして、ログイン管理部２０４は、データ送受信部２０１を介して、メール１０１０を送信したユーザにログインエラーメールを送信する（ＳＴ７１３）。
【０１３７】
一方、ＳＴ７１４において、メール１０１０に記載されているログインＩＤ１００２及びパスワード１００３と、ユーザデータベース２０３のパスワード管理テーブル３０１のログインＩＤ３０４及びパスワード３０５が一致すると判断した場合には、ログイン管理部２０４は、ユーザのログインを認める。
【０１３８】
そして、サーバ装置１０２は、ＵＲＬの登録処理に移行する。
【０１３９】
まず、メールデータ変換部２０５が、メール１０１０の本文中にＵＲＬの記載があるか判断する（ＳＴ７１５）。
【０１４０】
メール１０１０には、１００４に記すようにＵＲＬの記載があり、また、メール１０１０にはログインＩＤ１００２の記載がある。よって、次に、メールデータ変換部２０５は、メール１０１０からＵＲＬ１００４およびＵＲＬ受信者の個人ＩＤとしてログインＩＤ１００２を切り出し、ＵＲＬ登録メソッド２０６に送信する。
【０１４１】
これを受けて、ＵＲＬ登録メソッド２０６は、このＵＲＬ１００４を個人ＩＤに対応する個人テーブル４００（図４）に登録する。
【０１４２】
メール１０１０の場合は、個人ＩＤが「０９０１１１１２２２２」であるので、ＵＲＬ登録メソッド２０６は、図４に示す個人テーブル４００ａにＵＲＬ１００４を登録する（ＳＴ７１６）。
【０１４３】
次に、ＵＲＬ登録メソッド２０６は、送られてきたメール１０１０のＵＲＬ１００４を個人テーブル４００に登録したことを示す登録完了メールを、データ送受信部２０１を介して、メール１０１０の送信元に送信し（ＳＴ７１７）、処理を終了する。
【０１４４】
また、ＳＴ７１５において、メール１０１０にＵＲＬの記載がないとすると、ＵＲＬ登録メソッド２０６は、データ送受信部２０１を介して、メール１０１０を送信したユーザに対して登録ができなかった旨を示す登録エラーメールを送信し（ＳＴ７１８）、処理を終了する。
【０１４５】
次に、ＳＴ７０３において、メールにログインＩＤの記載がなかった場合の処理について図９に従って説明する。
【０１４６】
ＳＴ７０３において、個人ＩＤの記載がない判断されるメールを図１０（ｃ）に示す。図１０（ｃ）に示すメール１０２０には、１００１にＵＲＬ受信者としてグループＩＤ「００１」の記載はあるがログインＩＤの記載はない。
【０１４７】
以下、サーバ装置１０２が、メール１０２０を受信したとして説明をする。
【０１４８】
ログイン管理部２０４は、メール１０２０から差出人であるユーザのメールアドレスを抽出し、抽出したメールアドレスがユーザデータベース２０３のメールアドレス管理テーブル３０２に登録されているか判断する（ＳＴ７１９）。
【０１４９】
ＳＴ７１９において、メール１０２０から抽出した送信元のメールアドレスがメールアドレス管理テーブル３０２に登録されていないと判断された場合には、データ送受信部２０１を介して、メールを送信したユーザにログインが失敗した旨を通知するログインエラーメールを送信する（ＳＴ７２０）。
【０１５０】
一方、ＳＴ７１９において、メール１０２０から抽出した送信元のメールアドレスがメールアドレス管理テーブル３０２に登録されていると判断された場合には、ログイン管理部２０４は、ユーザのログインを認める。
【０１５１】
ここで注目すべき点に、サーバ装置１０２のメールアドレス管理テーブル３０２（図３（ｂ））に電子メールアドレス３０６とログインＩＤ３０４である携帯電話番号との対応情報を登録してある点がある。これにより、ユーザが携帯電話１０１ａからサーバ装置１０２にメール送信するときに発信者情報として自動的に送られる携帯電話の電子メールアドレス３０６に対応する携帯電話番号をログインＩＤ３０４とすることができる。この結果、ユーザは、携帯電話１０１ａからサーバ装置１０２にログインＩＤとパスワードとの記載を省略して簡単に自分宛のＵＲＬの登録を行うことができる。
【０１５２】
次に、サーバ装置１０２は、ＵＲＬの登録処理に移行する。
【０１５３】
まず、メールデータ変換部２０５が、メール１０２０の本文中にＵＲＬの記載があるか判断する（ＳＴ７２１）。
【０１５４】
メール１０２０には、１００４に記すようにＵＲＬの記載がある。よって、メールデータ変換部２０５は、メール１０２０からＵＲＬ１００４を切り出し、ＵＲＬ登録メソッド２０６に送信する。
【０１５５】
これを受けて、ＵＲＬ登録メソッド２０６は、このＵＲＬ１００４をメール１０２０のメールアドレスに対応する個人ＩＤの個人テーブル４００に登録する。
【０１５６】
また、メール１０２０には、１００１にＵＲＬ受信者としてグループＩＤが記載されているので、さらに、ＵＲＬ登録メソッド２０６は、ＵＲＬ１００４を、グループＩＤ「００１」に対応するグループテーブル５００に登録する（ＳＴ７２２）。また、ＵＲＬ登録メソッド２０６は、グループテーブル５００の配信マーク５０１を初期状態である「未」にしておく。
【０１５７】
メール１０２０の場合は、グループＩＤが「００１」あるので、ＵＲＬ登録メソッド２０６は、図５に示すグループテーブル５００ａにＵＲＬ１００４を登録する。
【０１５８】
次に、ＵＲＬ登録メソッド２０６は、送られてきたメール１０２０のＵＲＬ１００４を個人テーブル４００に登録したことを示す登録完了メールを、データ送受信部２０１を介して、メール１０２０の送信元に送信し（ＳＴ７２３）、処理を終了する。
【０１５９】
また、ＳＴ７２１において、メール１０２０にＵＲＬの記載がないとすると、ＵＲＬ登録メソッド２０６は、データ送受信部２０１を介して、メール１０２０を送信したユーザに対して登録ができなかった旨を示す登録エラーメールを送信し（ＳＴ７２４）、処理を終了する。
【０１６０】
次に、ＳＴ７１１において、メールに個人ＩＤの記載がなかった場合の処理について図９に従って説明する。
【０１６１】
ＳＴ７１１において、個人ＩＤの記載がない判断されるメールを図１０（ｄ）に示す。図１０（ｄ）に示すメール１０３０には、ＵＲＬ受信者を示す「recid」もログインＩＤを示す「id」もパスワードを示す「pw」の記載もない。
【０１６２】
以下、サーバ装置１０２が、メール１０３０を受信したとして説明をする。
【０１６３】
ログイン管理部２０４は、メール１０３０から差出人であるユーザのメールアドレスを抽出し、抽出したメールアドレスがユーザデータベース２０３のメールアドレス管理テーブル３０２に登録されているか判断する（ＳＴ７１９）。
【０１６４】
ＳＴ７１９において、メール１０３０から抽出した送信元のメールアドレスがメールアドレス管理テーブル３０２に登録されていないと判断された場合には、メールを送信したユーザにログインが失敗した旨を通知するログインエラーメールを送信する（ＳＴ７２０）。
【０１６５】
一方、ＳＴ７１９において、メール１０３０から抽出した送信元のメールアドレスがメールアドレス管理テーブル３０２に登録されていると判断された場合には、ログイン管理部２０４は、メール１０３０を送信してきたユーザのログインを認める。そして、サーバ装置１０２は、ＵＲＬの登録処理に移行する。
【０１６６】
まず、メールデータ変換部２０５が、メール１０３０の本文中にＵＲＬの記載があるか判断する（ＳＴ７２１）。
【０１６７】
メール１０３０には、１００４に記すようにＵＲＬの記載がある。よって、メールデータ変換部２０５は、メール１０３０からＵＲＬ１００４を切り出し、ＵＲＬ登録メソッド２０６に送信する。
【０１６８】
これを受けて、ＵＲＬ登録メソッド２０６は、このＵＲＬ１００４をメール１０３０のメールアドレスに対応する個人ＩＤの個人テーブル４００（図４）に登録する。
【０１６９】
次に、ＵＲＬ登録メソッド２０６は、送られてきたメール１０３０のＵＲＬ１００４を個人テーブル４００に登録したことを示す登録完了メールを、データ送受信部２０１を介して、メール１０３０の送信元に送信し（ＳＴ７２３）、処理を終了する。
【０１７０】
また、ＳＴ７２１において、メール１０３０にＵＲＬの記載がないとすると、ＵＲＬ登録メソッド２０６は、データ送受信部２０１を介して、メール１０３０を送信したユーザに対して登録ができなかった旨を示す登録エラーメールを送信し（ＳＴ７２４）、処理を終了する。
【０１７１】
次に、ユーザが別のユーザ宛のＵＲＬを登録する場合の処理について説明する。
【０１７２】
ユーザが別のユーザ宛のＵＲＬを登録する場合のメールを図１０（ｅ）に示す。図１０（ｅ）に示すメール１０４０には、１００１のＵＲＬ受信者である「recid」に個人ＩＤである「０９０１１１１２２２２」が、ログインＩＤ１００２に「０９０３３３３４４４４」が記載されている。
【０１７３】
以下、サーバ装置１０２が、メール１０４０を受信したとして、図７、図８を用いて説明をする。
【０１７４】
図７のＳＴ７０２において、メール１０４０のＵＲＬの受信者である「recid」をみて、その記載されている桁数が１１桁であることからグループＩＤではないと判断する。
【０１７５】
次に、ログイン管理部２０４は、受信したメールにログインＩＤの記載があるか判断する（ＳＴ７１１）。
【０１７６】
メール１０４０には１００２に記すようにログインＩＤの記載があるので、次に、ログイン管理部２０４は、パスワードの記載があるか判断する（ＳＴ７１２）。
【０１７７】
ＳＴ７１２において、メールにパスワードの記載がされていないと判断された場合には、メールを送信したユーザにログインが失敗した旨を通知するログインエラーメールを送信する（ＳＴ７１３）。
【０１７８】
メール１０４０には１００３に記すようにパスワードの記載があるので、次に、ログイン管理部２０４は、メール１０４０に記載されているログインＩＤ１００２及びパスワード１００３と、ユーザデータベース２０３のパスワード管理テーブル３０１のログインＩＤ３０４及びパスワード３０５が一致するか判断する（ＳＴ７１４）。
【０１７９】
ＳＴ７１４において、メール１０１０に記載されているログインＩＤ１００２及びパスワード１００３と、ユーザデータベース２０３のパスワード管理テーブル３０１のログインＩＤ３０４及びパスワード３０５が一致しないと判断すると、ログイン管理部２０４はこのメール１０００は登録されていないユーザからのメールと判断する。そして、ログイン管理部２０４は、データ送受信部２０１を介して、メール１０１０を送信したユーザにログインエラーメールを送信する（ＳＴ７１３）。
【０１８０】
一方、ＳＴ７１４において、メール１０４０に記載されているログインＩＤ１００２及びパスワード１００３と、ユーザデータベース２０３のパスワード管理テーブル３０１のログインＩＤ３０４及びパスワード３０５が一致すると判断した場合には、ログイン管理部２０４は、ユーザのログインを認める。
【０１８１】
そして、サーバ装置１０２は、ＵＲＬの登録処理に移行する。
【０１８２】
まず、メールデータ変換部２０５が、メール１０４０の本文中にＵＲＬの記載があるか判断する（ＳＴ７１５）。
【０１８３】
メール１０４０には、１００４に記すようにＵＲＬの記載があり、また、メール１０４０にはＵＲＬ受信者１００１の記載がある。よって、次に、メールデータ変換部２０５は、メール１０４０からＵＲＬ１００４およびＵＲＬ受信者１００１を切り出し、ＵＲＬ登録メソッド２０６に送信する。
【０１８４】
これを受けて、ＵＲＬ登録メソッド２０６は、このＵＲＬ１００４をＵＲＬ受信者１００１である個人ＩＤに対応する個人テーブル４００（図４）に登録する。以上のようにして、サーバ装置１０２は、ログインできたユーザから送られてきたＵＲＬを登録する。
【０１８５】
また、ユーザがログインに失敗した場合には、サーバ装置１０２が、ログインエラーメールを送信するので、ユーザは、ログインに失敗したことを認識でき、必要な個人情報を再入力して、再度ログインをすることができる。
【０１８６】
また、メールにＵＲＬが記載されていない場合には、サーバ装置１０２が、登録エラーメールをユーザに返すので、ユーザはメールにＵＲＬが記載されていないことを確認できる。これにより、ユーザは、ＵＲＬを付与したメールを再送することにより、確実に希望するＵＲＬを登録することができる。
【０１８７】
また、メールデータ変換部２０５が、携帯電話１０１ａ、ＰＤＡ１０１ｂ、またはＰＣ１０１ｃから電子メールを受信し、この中からＵＲＬとグループＩＤまたは個人ＩＤを識別し、ＵＲＬ登録メソッド２０６がこれを記憶するので、ユーザは、サーバ装置１０２宛にＵＲＬ登録用の電子メールを送信するだけでＵＲＬの登録を行える。これにより、ＵＲＬ登録作業を非常に簡単に行うことができる。
【０１８８】
次に、印刷装置１０３が、サーバ装置１０２にアクセスし、これに対してサーバ装置１０２が登録してあるＵＲＬを印刷装置１０３に送信し、そして印刷装置１０３が登録してあるＵＲＬを取得し、取得したＵＲＬを印刷する処理について、図１１〜図１４を用いて説明する。図１１は、上記実施の形態にかかる印刷装置のＵＲＬ取得及び印刷処理のフロー図であり、図１２は、上記実施の形態にかかるサーバ装置のＵＲＬ送信処理のフロー図であり、図１３は、上記実施の形態にかかるサーバ装置の印刷済みを受信した場合の処理のフロー図であり、図１４は、上記実施の形態にかかるサーバ装置の削除要求を受信した場合の処理のフロー図である。
【０１８９】
まず、ユーザが印刷装置１０３のキー入力部６０１を操作し、ＵＲＬを取得し印刷するモードであるＵＲＬモードを選択すると（ＳＴ１１０１）、印刷装置１０３の通信処理部６０５はパネル表示部６０２にログイン用の画面を表示する（ＳＴ１１０２）。
【０１９０】
ログイン用の画面を、図１５（ａ）に示す。ログイン用の画面１５００には、ログインＩＤを記入するログインＩＤ記入欄１５０１と、パスワードを記入するパスワード記入欄１５０２と、ログインＩＤ記入欄１５０１及びパスワード記入欄１５０２に記入された情報を送信するように指示する送信ボタン１５０３と、ログインＩＤ記入欄１５０１及びパスワード記入欄１５０２に記入された情報を取り消す取消ボタン１５０４が設けられている。
【０１９１】
ユーザにより、パネル表示部６０２のログインＩＤ記入欄１５０１に自身のユーザ名と、パスワード記入欄１５０２に自身のパスワードを入力され（ＳＴ１１０３）、送信ボタン１５０３が押下されると、通信制御部６０５は、送信制御部６０３を介してユーザが入力したログインＩＤ及びパスワードをサーバ装置１０２に送信する。
【０１９２】
また、ログインＩＤ３０４は携帯電話番号となっているので、ユーザは複雑な文字列を入力する必要がないので、ＵＲＬの配信を要求する印刷装置１０３ａ、１０３ｂにはテンキーさえ備えておけばよい。
【０１９３】
次に、ログインＩＤ及びパスワードを受信したサーバ装置１０２の処理について図１２を用いて説明する。
【０１９４】
まず、サーバ装置１０２は、データ送受信部２０１において、ログインＩＤ及びパスワードを受信すると（ＳＴ１１０５）、受信したログインＩＤ及びパスワードをログイン管理部２０４に送る。
【０１９５】
ログイン管理部２０４は、パスワード管理テーブル３０１を照合し、パスワード管理テーブル３０１に、受信したログインＩＤ及びパスワードが格納されているか判断する（ＳＴ１１０６）。
【０１９６】
ＳＴ１１０６において、パスワード管理テーブル３０１に、受信したログインＩＤ及びパスワードが格納されていないと判断した場合は、ログイン管理部２０４は、ログインできなかった旨を通知するエラーコードを、データ送受信部２０１を介して印刷装置１０３に送信する（ＳＴ１１０７）。
【０１９７】
一方、ＳＴ１１０６において、パスワード管理テーブル３０１に受信したログインＩＤ及びパスワードが格納されていると判断した場合は、ログイン管理部２０４は、ユーザのログインを認める。そして、サーバ装置１０２は、ユーザが登録したＵＲＬの取得処理に移行する。
【０１９８】
このように、ＵＲＬの取得にパスワードを設定し、正式なパスワードを知る者しかＵＲＬを取得できなくすることにより、部外者からのアクセスを拒否することができる。
【０１９９】
まず、ＵＲＬ閲覧メソッド２０８は、グループ登録管理テーブル３０３を参照し、受信したログインＩＤ（ＵＲＬ受信者である個人ＩＤと等しい）に対応するユーザがグループに所属しているか判断する（ＳＴ１１０８）。
【０２００】
ＳＴ１１０８において、ユーザがグループに所属していると判断した場合には、ＵＲＬ閲覧メソッド２０８は、このユーザの所属しているグループのグループＩＤを抽出する。次に、ＵＲＬ閲覧メソッド２０８は、抽出したグループＩＤのグループテーブル５００を参照し、このグループテーブル５００に格納されているＵＲＬ４０１を取得する（ＳＴ１１０９）。
【０２０１】
このように、グループテーブル５００に、グループＩＤ３０７とグループのメンバーの個人ＩＤ３０４を予め対応付けて登録しておいてあるので、クライアント１０から受信した個人ＩＤ３０４がグループのメンバーの個人ＩＤ３０４に一致したときにグループＩＤ３０７に対応するＵＲＬを配信することが可能になる。これにより、登録されたグループのメンバー以外の者がＵＲＬを取り出すことができなくなる。この結果、部外者からのアクセスを拒否して機密性を保つことができる。
【０２０２】
次に、ＵＲＬ閲覧メソッド２０８は、ユーザの個人ＩＤに対応する個人テーブル４００を参照し、この個人テーブル４００に格納されているＵＲＬ４０１を取得する（ＳＴ１１１０）。
【０２０３】
なお、ＳＴ１１０８において、個人ＩＤがグループに登録されていない場合は個人テーブル４００に格納されているＵＲＬ４０１だけを取得することになる。
【０２０４】
そして、ＵＲＬ閲覧メソッド２０８は、ＳＴ１１０９及びＳＴ１１１０において、ＵＲＬを取得したか判断し（ＳＴ１１１１）、ＵＲＬを取得した場合には、ログインを認めるコードとともに、取得したＵＲＬを、データ送受信部２０１を介して印刷装置１０３に送信する（ＳＴ１１１２）。
【０２０５】
一方、ＳＴ１１１１において、ＵＲＬを取得していないと判断した場合にはＵＲＬ閲覧メソッド２０８は、ＵＲＬが登録されていない旨を通知するエラーコードをデータ送受信部２０１を介して、印刷装置１０３に送信する（ＳＴ１１０７）。
【０２０６】
このように、ＵＲＬの配信要求をしたユーザの個人ＩＤ、グループＩＤに対応するＵＲＬが登録されていない場合はその旨を知らせることにより、ユーザは、登録されたＵＲＬがなかったことがわかる。これにより、ユーザは、ＵＲＬの取得に失敗したのかＵＲＬが登録されていないのかを明確に判別することができる。
【０２０７】
以上のように、サーバ装置１０２は、ユーザが登録したログインを認めるコード及びＵＲＬの一覧、もしくはエラーコードを印刷装置１０３に送信する。
【０２０８】
次に、印刷装置１０３が、ユーザが登録したＵＲＬの一覧及びログインを認めるコード、もしくはエラーコードを受信した場合の処理について、図１１を用いて説明をする。
【０２０９】
まず、印刷装置１０３は、受信制御部６０４において、ユーザのログインを認めるコード及びＵＲＬの一覧もしくはエラーコードを受信する。次に、通信制御部６０５がログインを認めるコードを受信したか判断することにより、ログインが認められたか判断する（ＳＴ１１１３）。
【０２１０】
ＳＴ１１１３において、ログインが認められない場合は、印刷装置１０３は、ＳＴ１１０２の処理に戻る。
【０２１１】
一方、ＳＴ１１１３において、ログインが認められたと判断した場合は、通信制御部６０５は、次に、受信したＵＲＬの一覧を表示したＵＲＬ一覧画面をパネル表示部６０２に表示する（ＳＴ１１１４）。
【０２１２】
ＳＴ１１１４において、パネル表示部６０２に表示されるＵＲＬ一覧画面を図１５（ｂ）に示す。ＵＲＬ一覧画面１５０５には、複数のＵＲＬ１５０６と、サーバ装置１０２からログアウトする指示を受けるログアウトボタン１５１０とが、表示されている。
【０２１３】
次に、通信制御部６０５は、ＵＲＬ一覧画面を見たユーザのキー入力部６０１操作を待つ。そして、通信制御部６０５は、ユーザにより、ＵＲＬ一覧画面に表示されたＵＲＬ１５０６から任意のＵＲＬ１５６０を選択するキー操作があると、ユーザが、選択したＵＲＬに対して所定の操作を指示するための指示画面をパネル表示部６０２に表示する。
【０２１４】
パネル表示部６０２に表示される指示画面を図１５（ｃ）に示す。指示画面１５０７には、選択したＵＲＬを表示するＵＲＬ表示部１５１６と、ユーザがＵＲＬ表示部１５１６に表示されたＵＲＬに対応するホームページデータを印刷することを指示するための印刷ボタン１５０８と、ユーザがＵＲＬ表示部１５１６に表示されたＵＲＬを削除することを指示するための削除ボタン１５０９と、ユーザがログアウトするためのログアウトボタン１５１０と、ユーザがＵＲＬ一覧表示画面の表示に戻ることを指示するための戻るボタン１５１１が表示されている。
【０２１５】
次に、通信制御部６０５は、ユーザが指示画面１５０７のいずれかのボタン１５０８〜１５１１が押下されるのを待ち、いずれかのボタン１５０８〜１５１１が押下された場合には、いずれのボタン１５０８〜１５１１が押下されたか判断する（ＳＴ１１１５）。
【０２１６】
ＳＴ１１１５において、ユーザにより印刷ボタン１５０８が押下されたと判断すると、通信制御部１１１５は、ＵＲＬ表示部１５１６に表示されたＵＲＬをＵＲＬ画面読取変換部６０６に送る。
【０２１７】
ＵＲＬ画面読取変換部６０６は、送られてきたＵＲＬを受信し、このＵＲＬを用いてＷｅｂサーバ１０４にアクセスし、このＵＲＬに対応するホームページデータを取得する。次に、ＵＲＬ画面読取変換部６０６は、取得したＵＲＬに対応するホームページデータを印刷用の画情報に変換し、印刷制御部６０７に送信する。
【０２１８】
印刷制御部６０７は、取得したＵＲＬに対応するホームページデータを印刷用に変換した画情報を受信し、これを印刷部６０８に送る。そして、印刷部６０８が、この画情報を印刷する（ＳＴ１１１６）。
【０２１９】
以上のように、印刷装置１０３は、サーバ装置１０２に登録されているＵＲＬのホームページを印刷する。
【０２２０】
またに、本実施の形態では、複数の人に見てもらいたいＵＲＬをグループＩＤとともにサーバ装置１０２のグループテーブル５００に登録してあるので、ＵＲＬを登録した者以外の者も近くのコンビニエンス等に設置の印刷装置１０３でサーバ装置１０２からＵＲＬに対応するホームページデータを入手できる。これにより、別々の場所にいる複数の者が同じホームページを共用することが可能となる。例えば、一人の者がある地域の地図のＵＲＬデータをサーバ装置に登録し、複数の者がＵＲＬデータの内容である地図を印刷し、それぞれ共通の待合場所に向かうということが可能となる。
【０２２１】
また、個人の携帯電話番号などの個人ＩＤ３０４とその携帯電話所有者宛のＵＲＬ、グループ番号などのグループＩＤ３０７とそのグループ全員宛のＵＲＬ、グループ番号とグループに属する各メンバーの携帯電話番号などの個人ＩＤ３０４を互いに関連付けて記憶してあるので、ユーザは、個人ＩＤ３０４の入力だけで自分個人宛に登録されたＵＲＬと、自分がメンバーとなっているグループ宛に登録されたＵＲＬの両方を一度の接続でまとめてサーバ装置１０２から取得できる。これにより、個人とグループとで別々に取得のための操作を行う必要がなくユーザの利便性を高めることができる。
【０２２２】
また、ＵＲＬが複数ある場合でも、ＵＲＬ一覧画面１５０５にＵＲＬの一覧を表示してから順番に印刷することができるので、ユーザはいくつのＵＲＬがあるかを予めわかり、印刷時間を予測することができる。
【０２２３】
次に、印刷制御部６０７は、取得したＵＲＬに対応するホームページデータを印刷用に変換した画情報を印刷部６０８に送信すると、取得したＵＲＬの印刷処理が終了した旨を通知する印刷済みデータをサーバ装置１０２に伝える（ＳＴ１１１７）。また、印刷制御部６０７が送信する印刷済みデータには、印刷したＵＲＬの情報も付与されている。
【０２２４】
次に、サーバ装置１０２が、印刷済みを示すデータを受信した場合の処理について、図１３を用いて説明する。
【０２２５】
サーバ装置１０２のＵＲＬ登録メソッド２０６が、印刷済みを示すデータを受信すると（ＳＴ１１１８）、受信した印刷済みのデータに対応するＵＲＬが、グループテーブル５００に登録されているか判断する（ＳＴ１１１９）。
【０２２６】
ＳＴ１１１９において、印刷済みデータに対応するＵＲＬがグループテーブル５００に登録されていないと判断すると、このＵＲＬは個人テーブル４００に登録されているものである。よって、このＵＲＬは、他のユーザが使用することもないので、このＵＲＬを個人テーブル４００から削除する。
【０２２７】
一方、ＳＴ１１１９において、印刷済みデータに対応するＵＲＬがグループテーブル５００に登録されていると判断すると、このＵＲＬは、他のユーザが使用する可能性がある。よって、単純にこのＵＲＬを削除できない。
【０２２８】
よって、次に、ＵＲＬ登録メソッド２０６は、このＵＲＬに対応するホームページデータを印刷したユーザの所属するグループのグループテーブル５００を参照し、このグループテーブル５００のこのユーザのこのＵＲＬに対応する配信マーク５０１をすでに配信が終わったことを示す「済」にする（ＳＴ１１２１）。
【０２２９】
次に、ＵＲＬ登録メソッド２０６は、印刷済みデータに対応するＵＲＬをまだ配信していないユーザがいるか判断する（ＳＴ１１２２）。具体的には、ＵＲＬ登録メソッド２０６は、ＳＴ１２１１において参照したグループテーブ５００のこのＵＲＬに対応するすべての配信マーク５０１が配信済みを示す「済」になっているかを調べる。
【０２３０】
ＳＴ１１２２において、印刷済みデータに対応するＵＲＬを未配信のユーザがいないと判断すると、このＵＲＬを使うユーザはいないと判断できるので、ＵＲＬ登録メソッド２０６は、このＵＲＬをグループテーブル５００から削除し、処理を終了する（ＳＴ１１２０）。
【０２３１】
例えば、グループテーブル５００ａが図１６（ａ）に示すようになっている場合、つまり、１６００に示すＵＲＬに対応する配信マーク５０１ａはすべて「済」になっている場合には、ＵＲＬ登録メソッド２０６は、ＵＲＬ１６００を未配信のユーザはいないと判断する。よって、ＵＲＬ登録メソッド２０６は、ＵＲＬ１６００に関するデータをグループテーブル５００ａから削除し、図１６（ｂ）に示すグループテーブル５００ａのようにする。図１６（ｂ）に示すグループテーブル５００ａには、ＵＲＬ１６００に関するデータはすべて削除されている。
【０２３２】
一方、ＳＴ１１２２において、印刷済みのデータに対応するＵＲＬを未配信のユーザがいると判断すると、このＵＲＬを使うユーザがいると判断できるので、ＵＲＬ登録メソッド２０６は、このＵＲＬをグループテーブル５００から削除せずに処理を終了する。
【０２３３】
このように、個人テーブル４００に登録してあるＵＲＬは、一度配信するとサーバ装置１０２の個人テーブル４００から削除するので、不要なＵＲＬを保持しないようにできる。これにより、サーバ装置１０２のメモリを有効利用することができる。
【０２３４】
また、グループテーブル５００に登録してあるＵＲＬは、グループ全員に配信済みになったらグループテーブル５００から削除するので、不要なＵＲＬを保持しないようにできる。これにより、サーバ装置のメモリを有効利用することができる。
【０２３５】
また、ＵＲＬデータを送信した後で正常に印刷された旨のデータを受信した場合にＵＲＬデータをＵＲＬ登録データベース２０７から削除するので、印刷が完了したことを確認してからＵＲＬデータを削除することになる。これにより、正常に印刷ができなかった場合にＵＲＬを削除せずに、ＵＲＬデータを再取得すること、つまり、リカバリ対応できる。
【０２３６】
次に、ＳＴ１１１５において、ユーザにより削除ボタン１５０９が押下された場合の処理について、図１１、図１４を用いて説明する。
【０２３７】
ＳＴ１１１５において、ユーザにより削除ボタン１５０９が押下された場合には、通信制御部６０５は、指示画面１５０７のＵＲＬ表示部１５１６に表示されたＵＲＬに対する削除要求を、送信制御部６０３を介してサーバ装置１０２に送信する（ＳＴ１１２３）。
【０２３８】
これを受けて、サーバ装置１０２のＵＲＬ登録メソッド２０６が、データ送受信部２０１を介して、ＵＲＬの削除要求を受信する（ＳＴ１１２４）。
【０２３９】
次に、ＵＲＬ登録メソッド２０６は、削除要求を受けたＵＲＬは、グループテーブル５００に登録されているか判断する（ＳＴ１１２５）。
【０２４０】
ＳＴ１１２５において、削除要求を受けたＵＲＬが、グループテーブル５００に登録されていないと判断すると、ＵＲＬ登録メソッド２０６は、このＵＲＬは個人のユーザが使用するものであるので、このＵＲＬを削除し、処理を終了する（ＳＴ１１２６）。
【０２４１】
一方、ＳＴ１１２５において、削除要求を受けたＵＲＬが、グループテーブル５００に登録されていると判断すると、ＵＲＬ登録メソッド２０６は、このＵＲＬはグループで使用しているものであり、他のユーザが使用する可能性があるので、単純に削除せず、以下の処理に移行する。
【０２４２】
まず、ＵＲＬ登録メソッド２０６は、削除要求を受けたＵＲＬを未配信のユーザがいるか判断する（ＳＴ１１２７）。具体的には、ＵＲＬ登録メソッド２０６は、削除要求を受けたＵＲＬが登録されているグループテーブル５００を参照し、このＵＲＬに対応する配信マークがすべて「済」になっているか判断する。
【０２４３】
ＳＴ１１２７において、削除要求を受けたＵＲＬを未配信のユーザがいないと判断すると、このＵＲＬを使用するユーザはいないということなので、ＵＲＬ登録メソッド２０６は、このＵＲＬに関する情報をグループテーブル５００から削除する（ＳＴ１１２６）。
【０２４４】
一方、ＳＴ１１２７において、削除要求を受けたＵＲＬを未配信のユーザがいると判断すると、このＵＲＬを使用するユーザがいるということなので、ＵＲＬ登録メソッド２０６は、このＵＲＬに関する情報をグループテーブル５００から削除して良いか確認する削除確認メッセージを印刷装置１０３に返信する（ＳＴ１１２８）。
【０２４５】
これに対して、印刷装置１０３は、受信制御部６０４を介して、通信制御部６０５で削除確認メッセージを受信した場合（ＳＴ１１２９）、削除要求をしたＵＲＬを本当に削除して良いかを通知するメッセージをパネル表示部６０２に表示する。
【０２４６】
そして、ユーザにより、判断し、削除要求をしたＵＲＬを削除して良い旨の入力があると（ＳＴ１１３０）、通信制御部６０５は、削除要求したＵＲＬの削除を確定し、削除を要求する旨の削除確定メッセージを、送信制御部６０３を介してサーバ装置１０２に送信する（ＳＴ１１３１）。
【０２４７】
これに対して、サーバ装置１０２のＵＲＬ登録メソッド２０６は、データ送受信部２０１を介して、削除確定メッセージを受信した場合、つまり削除して良いとの通知を受けた場合には（ＳＴ１１３２）、削除要求を受けたＵＲＬに関するデータをグループテーブル５００から削除する（ＳＴ１１２６）。そして、ＵＲＬ登録メソッド２０６は、削除要求を受けたＵＲＬを削除した旨を印刷装置１０３に送信する。
【０２４８】
そして、印刷装置１０３は、パネル表示部６０２に、削除要求を受けたＵＲＬを削除したことを通知する画面（図１５（ｄ）に示す画面１５１２）を表示する。画面１５１２には、１５１３に示すように削除したＵＲＬが表示される。
【０２４９】
一方、ＵＲＬ登録メソッド２０６が、削除確定メッセージを受信しない場合、つまり削除して良いとの通知を受けない場合には（ＳＴ１１３２）、削除要求を受けたＵＲＬに関するデータをグループテーブル５００に残し処理を終了する（ＳＴ１１２６）。
【０２５０】
このように、サーバ装置１０２は、ユーザから削除確認メッセージを確認してから、削除要求を受けたＵＲＬを削除するので、ユーザが間違ってＵＲＬを削除するという事態を回避できる。
【０２５１】
次に、ＳＴ１１１５において、ユーザによりログアウトボタン１５１０が押下された場合の処理について、図１１、図１４を用いて説明する。
【０２５２】
ＳＴ１１１５において、ユーザによりログアウトボタン１５１０が押下された場合には、通信制御部６０５は、ログアウトを指示するメッセージを、送信制御部６０３を介してサーバ装置１０２に送信する（ＳＴ１１３３）。
【０２５３】
そして、これに対してサーバ装置１０２がログアウト処理をして処理を終了する。
【０２５４】
以上説明したように、上記実施の形態によれば、記録手段を有しないクライアント１０１ａ〜１０１ｃの利用者もＵＲＬをいったんサーバ装置１０２に送信することにより、後で記録手段を有する印刷装置１０３において改めてサーバ装置１０２からＵＲＬを取り出してその内容を印刷することができる。これにより、例えば、ユーザは、携帯電話１０１ａで受信したＵＲＬの内容をコンビニエンス等に設置してある印刷装置１０３から取り出すことができ、携帯電話１０１ａの小さい表示画面では確認困難な情報も容易に確認できる。
【０２５５】
また、サーバ装置１０２にＵＲＬデータを格納した利用者以外の者も、印刷装置１０３からサーバ装置１０２にアクセスしてＵＲＬデータを取得してホームページを印刷できる。これにより、別々の場所にいる複数の者が同じホームページを共用することが可能となる。
【０２５６】
また、上記実施の形態によれば、ユーザは、携帯端末１０１ａ、１０１ｂからサーバ装置１０２に受取人を指定する個人ＩＤを付与した電子メールを送信することができる。これにより、携帯端末１０１ａ、１０１ｂという小型の移動端末からでも、特定の人に所定のＵＲＬデータを簡単に配信することができる。
【０２５７】
また、上記実施の形態によれば、ユーザは、ＰＣ１０１ｃからサーバ装置１０２にＵＲＬを登録し、印刷装置１０３から取り出せるようにできる。これにより、社内にいる者がサーバ装置１０２にＵＲＬを登録しておき、外出中の者が近くのコンビニエンス等に設置の印刷装置１０３でＩＤを入力するだけでサーバ装置１０２からＵＲＬの内容を入手できるようになる。これにより、携帯電話１０１ａを持っていなくてもＵＲＬを知らなくても、緊急に必要な情報を容易に取得することができる。
【０２５８】
なお、上記実施の形態にかかる印刷装置１０３の印刷機能及び複写機能に、さらに、ファクシミリ機能を持たせても良い。つまり、複合機に本発明の印刷装置１０３を適用しても良い。
【０２５９】
また、印刷装置１０３の機能をプリンタに接続されたＰＣに持たせることにより、このＰＣに印刷装置１０３の機能を持たせるようにしてもよい。これにより、汎用のＰＣからでもサーバ装置１０２にアクセスでき、予め登録したＵＲＬを取得できる。
【０２６０】
また、ログイン管理部２０４、メールデータ変換部２０５、ＵＲＬ登録メソッド２０６，ＵＲＬ閲覧メソッド２０８，通信制御部６０５、ＵＲＬ画面読取変換部６０６，及び印刷制御部６０７の行う処理をプログラムにして、汎用のコンピュータに実行させる形態であっても良い。
【０２６１】
【発明の効果】
以上説明したように、本発明によれば、ユーザがＵＲＬを知らなくても、サーバ装置１０２に予めＵＲＬを登録しておくことで、印刷装置１０３において自分が自分宛に登録したＵＲＬ、あるいは他の人が自分宛に登録したＵＲＬを取得し、このＵＲＬに対応するホームページデータを印刷することができる。
【図面の簡単な説明】
【図１】本発明の一実施の形態にかかるＵＲＬ配信システムのブロック図
【図２】上記実施の形態にかかるサーバ装置のブロック図
【図３】（ａ）上記実施の形態にかかるパスワード管理テーブルを示す図
（ｂ）上記実施の形態にかかるメールアドレス管理テーブルを示す図
（ｃ）上記実施の形態にかかるグループ登録管理テーブルを示す図
【図４】（ａ）上記実施の形態にかかる個人テーブルを説明するための第１の図
（ｂ）上記実施の形態にかかる個人テーブルを説明するための第２の図
【図５】（ａ）上記実施の形態にかかるグループテーブルを説明するための第１の図
（ｂ）上記実施の形態にかかるグループテーブルを説明するための第２の図
【図６】上記実施の形態にかかる印刷装置の構成図
【図７】上記実施の形態にかかるサーバ装置のＵＲＬ登録処理の第１のフローチャート
【図８】上記実施の形態にかかるサーバ装置のＵＲＬ登録処理の第２のフローチャート
【図９】上記実施の形態にかかるサーバ装置のＵＲＬ登録処理の第３のフローチャート
【図１０】（ａ）上記実施の形態にかかるメールを記した第１の図
（ｂ）上記実施の形態にかかるメールを記した第２の図
（ｃ）上記実施の形態にかかるメールを記した第３の図
（ｄ）上記実施の形態にかかるメールを記した第４の図
（ｅ）上記実施の形態にかかるメールを記した第５の図
【図１１】上記実施の形態にかかる印刷装置のＵＲＬ取得及び印刷処理のフロー図
【図１２】上記実施の形態にかかるサーバ装置のＵＲＬ送信処理のフロー図
【図１３】上記実施の形態にかかるサーバ装置の印刷済みを受信した場合の処理のフロー図
【図１４】上記実施の形態にかかるサーバ装置の削除要求を受信した場合の処理のフロー図
【図１５】（ａ）上記実施の形態にかかるパネル表示部に表示される画面を示す第１の図
（ｂ）上記実施の形態にかかるパネル表示部に表示される画面を示す第２の図
（ｃ）上記実施の形態にかかるパネル表示部に表示される画面を示す第３の図
（ｄ）上記実施の形態にかかるパネル表示部に表示される画面を示す第４の図
【図１６】（ａ）上記実施の形態にかかるグループテーブルの変異を説明するための第１の図
（ｂ）上記実施の形態にかかるグループテーブルの変異を説明するための第２の図
【符号の説明】
１００  ＵＲＬ配信システム
１０１ａ〜１０１ｃ  クライアント
１０２  サーバ装置
１０３ａ、１０３ｂ  印刷装置
１０４  Ｗｅｂサーバ
２０１  データ送受信部
２０２  ログインサーバ
２０３  ユーザデータベース
２０４  ログイン管理部
２０５  メールデータ変換部
２０６  ＵＲＬ登録メソッド
２０７  ＵＲＬ登録データベース
２０８  ＵＲＬ閲覧メソッド
３０１  パスワード管理テーブル
３０２  メールアドレス管理テーブル
３０３  グループ登録管理テーブル
４００ａ、４００ｂ  個人テーブル
５００ａ、５００ｂ  グループテーブル
６０１  キー入力部
６０２  パネル表示部
６０３  送信制御部
６０４  受信制御部
６０５  通信制御部
６０６  ＵＲＬ画面読取変換部
６０７  印刷制御部
６０８  印刷部
【図１】
2004213149.tif 000003
【図２】
2004213149.tif 000004
【図３】
2004213149.tif 000005
【図４】
2004213149.tif 000006
【図５】
2004213149.tif 000007
【図６】
2004213149.tif 000008
【図７】
2004213149.tif 000009
【図８】
2004213149.tif 000010
【図９】
2004213149.tif 000011
【図１０】
2004213149.tif 000012
【図１１】
2004213149.tif 000013
【図１２】
2004213149.tif 000014
【図１３】
2004213149.tif 000015
【図１４】
2004213149.tif 000016
【図１５】
2004213149.tif 000017
【図１６】
2004213149.tif 000018